(57)【要約】【課題】セキュリティ上より安全性が高く、通行料金の精算処理に必要な情報を格納した記憶媒体を使用可能とするための手間が掛からない電子機器、電子機器システム、及び電子機器処理方法を提供すること。【解決手段】所定の料金を記憶媒体４に格納された課金許可禁止指定情報に基づき精算処理する電子機器１において、記憶部２に通信端末５に関する第一の情報と第二の情報を格納し、制御部３により記憶媒体の接続を検出した際に通信端末５から受信した情報が第一の情報と一致した場合に記憶媒体４から読み出した課金許可禁止指定情報が課金禁止を示す場合、この情報を課金許可に書き換え、課金許可禁止指定情報が課金許可を示し、かつ、通信端末５から受信した情報が第二の情報と一致した場合、料金の精算処理の実行を許可し、その後、記憶媒体４の課金許可禁止指定情報を課金禁止を示すように書き換える。【選択図】      図1
2016021185.tif 000002
【特許請求の範囲】
【請求項１】
所定の料金を所定の記憶媒体に格納された課金許可禁止指定情報に基づき精算処理する電子機器において、
通信端末に関する所定の第一の情報と所定の第二の情報を予め格納する記憶部と、
前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、前記課金許可禁止指定情報が課金許可を示し、かつ、前記通信端末から受信した情報が前記第二の情報と一致した場合、前記料金の前記精算処理の実行を許可し、その後、前記記憶媒体の前記課金許可禁止指定情報を課金禁止を示すように書き換える制御部と、
を備えたことを特徴とする電子機器。
【請求項２】
前記制御部は、前記記憶媒体の前記課金許可禁止指定情報を課金許可を示すように書き換えた後に、又は、前記通信端末から受信した情報と前記第二の情報との一致が確認された後に、前記記憶媒体から記憶媒体ＩＤ情報を読み出し、この情報が記憶媒体のＩＤを示す場合、該記憶媒体ＩＤに対応するダミー記憶媒体ＩＤを発行し前記記憶媒体ＩＤと前記ダミー記憶媒体ＩＤとを対応させて前記記憶部に格納し、前記記憶媒体に格納されている前記記憶媒体ＩＤを前記ダミー記憶媒体ＩＤに書き換え、前記電源供給の停止を検出して、前記記憶部に格納した前記記憶媒体ＩＤを前記記憶媒体に書き戻し、
前記記憶部は、前記記憶媒体ＩＤと前記ダミー記憶媒体ＩＤとを対応させて格納する、
ことを特徴とする請求項１記載の電子機器。
【請求項３】
操作者の操作に基づき、前記通信端末が近接した場合に前記通信端末と通信を開始し、該通信端末から前記情報を受けて前記制御部に通知する通信部を、更に備えたことを特徴とする請求項１又は２記載の電子機器。
【請求項４】
前記制御部は、前記通信部を介して、前記通信端末に前記所定の第二の情報の入力を求める通信をし、
前記通信端末は、この通信を受け、操作者の操作に基づき、前記所定の第二の情報を前記通信部に送信する、
ことを特徴とする請求項３記載の電子機器。
【請求項５】
前記第一の情報は、電話番号を含む前記通信端末に固有の情報であり、前記第二の情報は、暗証番号を含む不正使用を防止するために使用する情報である、
ことを特徴とする請求項１又は２記載の電子機器。
【請求項６】
前記通信は、ＮＦＣ（Ｎｅａｒ  Ｆｉｅｌｄ  Ｃｏｍｍｕｎｉｃａｔｉｏｎ）通信、ブルートゥース通信を含む近距離通信である、
ことを特徴とする請求項３又は４記載の電子機器。
【請求項７】
請求項１記載の前記電子機器と、
前記課金許可禁止指定情報を格納し、前記電子機器に挿入され、前記電子機器により、前記課金許可禁止指定情報を読み取られ、この課金許可禁止指定情報を課金許可を示すように書き換えられたり課金禁止を示すように書き換えられたりする前記記憶媒体と、
操作者の操作に基づき前記電子機器に前記所定の第一の情報を送信したり、前記所定の第二の情報を送信したりする前記通信端末と、
を備えたことを特徴とする電子機器システム。
【請求項８】
請求項２から７のいずれかに記載の前記電子機器と、
前記課金許可禁止指定情報と前記記憶媒体ＩＤ情報とを格納し、前記電子機器に挿入され、前記電子機器により、前記課金許可禁止指定情報を読み取られ、この課金許可禁止指定情報を課金許可を示すように書き換えられたり課金禁止を示すように書き換えられたりしたり、前記電子機器により、前記記憶媒体ＩＤ情報を読み取られ、前記記憶媒体ＩＤ情報を前記記憶媒体ＩＤに設定されたり、前記ダミー記憶媒体ＩＤに設定されたりする前記記憶媒体と、
操作者の操作に基づき前記電子機器に前記所定の第一の情報を送信したり、前記所定の第二の情報を送信したりする前記通信端末と、
を備えたことを特徴とする電子機器システム。
【請求項９】
所定の料金を所定の記憶媒体に格納された課金許可禁止指定情報に基づき精算処理する電子機器処理方法において、
前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、
前記課金許可禁止指定情報が課金許可を示し、かつ、前記通信端末から受信した情報が前記第二の情報と一致した場合、前記料金の前記精算処理の実行を許可し、
その後、前記記憶媒体の前記課金許可禁止指定情報を課金禁止を示すように書き換える、ことを特徴とする電子機器処理方法。
【請求項１０】
前記記憶媒体の前記課金許可禁止指定情報を課金許可を示すように書き換えた後に、又は、前記通信端末から受信した情報と前記第二の情報との一致が確認された後に、前記記憶媒体から記憶媒体ＩＤ情報を読み出し、
この読み出した情報が記憶媒体のＩＤを示す場合、該記憶媒体ＩＤに対応するダミー記憶媒体ＩＤを発行し前記記憶媒体ＩＤと前記ダミー記憶媒体ＩＤとを対応させて格納し、
前記記憶媒体に格納されている前記記憶媒体ＩＤを前記ダミー記憶媒体ＩＤに書き換え、
その後、前記記憶媒体ＩＤを前記記憶媒体に書き戻し、
前記記憶媒体ＩＤと前記ダミー記憶媒体ＩＤとを対応させて格納する、
ことを特徴とする請求項９記載の電子機器処理方法。
【発明の詳細な説明】
【技術分野】
【０００１】
本発明は、電子機器、電子機器システム、及び電子機器処理方法に関し、セキュリティ上より安全性が高く、ＥＴＣカードを使用可能とするための手間が掛からない電子機器、電子機器システム、及び電子機器処理方法に関する。
【背景技術】
【０００２】
近年、多くの有料道路において、通行料金を自動収受するＥＴＣ（Ｅｌｅｃｔｒｏｎｉｃ  Ｔｏｌｌ  Ｃｏｌｌｅｃｔｉｏｎ）システムが使用されてきている。このＥＴＣシステムでは、車両が有料道路の料金所を通過する際に、車両に設置された専用の車載器(ＥＴＣ車載器)と、料金所に設置された路上機との間で、通行料金に関する情報を無線通信する。この際、ＥＴＣ車載器には、専用のＩＣカード（ＥＴＣカード)が挿入されていなければならず、通信料金に関する情報とともに、このＥＴＣカードを識別するＩＤも無線通信の対象となっている。このＥＴＣカードには、ユーザーが登録した口座が割り当てられており、料金所側では、この口座から通行料金の引き落としを行っている（通常の課金処理）。このＥＴＣカードは、盗難、紛失等により、第三者に無断使用や不正使用され、料金がＥＴＣカードの持ち主に課されるおそれがある。
【０００３】
無断使用や不正使用されないようにしたＥＴＣ車載器の技術が特許文献1に開示されている。特許文献１に開示のＥＴＣ車載器は、次のように動作する。すなわち、ＥＴＣカードが本車載器の有するカード挿入口に挿入された後に、ブルートゥース通信方式に基づいて、自身の車載器と通信回線が確立されている携帯端末等の端末が付近にあるか否かを判定（第一の判定）する。自身の車載器と通信回線が確立されている端末がある場合、この端末は、予め自身の車載器に登録されている端末か否かを判定（第二の判定）する。次に、この端末が予め自身の車載器に登録されている端末である場合、カード挿入口に挿入されているＥＴＣカードの状態を調べ、ＥＴＣカードが課金禁止状態にあるか否かを判定する。すなわち、ＥＴＣカードが本車載器に挿入されたときに、このＥＴＣカードの状態が課金禁止状態であったか否かを判定する。
【０００４】
課金禁止状態とは、この状態のＥＴＣカードでは課金することができない状態を言う。例えば、ＥＴＣカードであることを識別する識別情報を書き換えて、他のＥＴＣ車載器ではＥＴＣカードであることを認識できないようにした状態である。また、例えば、ＥＴＣカードに書き込まれている情報を識別する識別情報を別の情報に書き換える等により料金決済に必要な情報がＥＴＣカードのどこに書き込まれているか分からなくした状態である。このため、ＥＴＣカードが課金禁止状態となっている場合は、このＥＴＣカードは、例えば、盗難や、紛失等により第三者の手に渡ったとしても、無断使用することができない。  そして、上記の第一の判定と第二の判定の結論が肯定的であった後に、ＥＴＣカードの状態を調べた結果が、ＥＴＣカードが課金禁止状態となっていることを示す場合は、次のように、通常の課金処理の実行を可能とする。すなわち、この課金禁止状態を解除して、ＥＴＣカードを課金可能な状態に戻しこのＥＴＣカードに基づき課金処理をできるようにして、通常の課金処理の実行を可能とする。
【０００５】
本車載器で使用する挿入前（挿入時）のＥＴＣカードの状態は、通常、課金禁止状態（通常の状態）となるようにしている。このようにすることにより、ＥＴＣカードを無断使用されないようにしつつ、自身の車載器で使用することができるようにしている。（すなわち、挿入時のＥＴＣカードが課金可能状態である場合は、このカードは異常の状態である。）
一方、ＥＴＣカードの状態を調べた結果が、ＥＴＣカードが課金禁止状態となっていないことを示す場合（課金可能状態の場合）は、この挿入したＥＴＣカードは通常の状態でない（異常状態）カードである。このカードは、本車載器への挿入前に、例えば、盗難や、紛失により第三者の手に渡ったときには、無断使用されるおそれがある。
【０００６】
そして、挿入時のＥＴＣカードが課金禁止状態となっていない場合（課金可能状態（異常状態）の場合）には、車載器は、ＥＴＣカードを課金禁止状態にすることを許可する状態（課金禁止許可状態）にする。そして、その後、車両のエンジンがオフ（ＡＣＣ（アクセサリスイッチ）  ＯＦＦ）された際に、ＥＴＣカードが課金禁止許可状態である場合に、このＥＴＣカードを課金禁止状態（通常の状態）にする。したがって、この通常の状態になったＥＴＣカードは、車載器に挿入後、課金禁止状態から課金可能状態に書き換えられて、使用することができるようになる。
【先行技術文献】
【特許文献】
【０００７】
【特許文献１】特許第４５５２７０８号公報
【発明の概要】
【発明が解決しようとする課題】
【０００８】
上述した特許文献１に開示のＥＴＣ車載器は、ＥＴＣカードが挿入され、第一の判定と第二の判定がなされた後に、ＥＴＣカードの状態を調べた結果が、ＥＴＣカードが課金可能状態（通常の状態でない状態）の場合、ＥＴＣカードを課金禁止許可状態にする。そして、車両のエンジンがオフ（ＡＣＣ  ＯＦＦ）した際に課金禁止許可状態のＥＴＣカードを課金禁止状態（通常の状態）にする。そして、エンジンをオンした後に、この課金禁止状態（通常の状態）を、課金可能状態に書き換えることにより、このＥＴＣカードにより課金処理をできるようにして、通常の課金処理の実行を可能としている。
【０００９】
このように、特許文献１記載のＥＴＣ車載器は、挿入した際に通常の状態でなかったＥＴＣカードを、車両のエンジンのオフのみで通常の状態にすることができてしまうので、セキュリティ上安全性に欠けるといった問題がある。
【００１０】
また、挿入した際に通常の状態でない課金可能状態のＥＴＣカードを使用するためには、次の二段階の操作が必要になる。すなわち、最初に、車両のエンジンをオフにしてＥＴＣカードを通常の状態である課金禁止状態にし、次に、車両のエンジンをオンにし課金禁止状態を課金可能状態に書き換えることによりこのＥＴＣカードを使用する。このため、挿入した際に通常の状態でない課金可能状態のＥＴＣカードを使用するのに、手間が掛かるといった問題がある。
【００１１】
本発明の目的は、上記課題を解決して、セキュリティ上より安全性が高く、通行料金の精算処理に必要な情報を格納した記憶媒体を使用可能とするための手間が掛からない電子機器、電子機器システム、及び電子機器処理方法を提供することである。
【課題を解決するための手段】
【００１２】
本発明の電子機器は、所定の料金を所定の記憶媒体に格納された課金許可禁止指定情報に基づき精算処理する電子機器において、通信端末に関する所定の第一の情報と所定の第二の情報を予め格納する記憶部と、前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、前記課金許可禁止指定情報が課金許可を示し、かつ、前記通信端末から受信した情報が前記第二の情報と一致した場合、前記料金の前記精算処理の実行を許可し、その後、前記記憶媒体の前記課金許可禁止指定情報を課金禁止を示すように書き換える制御部と、を備えている。
【００１３】
本発明の第１の電子機器システムは、本発明の電子機器と、前記課金許可禁止指定情報を格納し、前記電子機器に挿入され、前記電子機器により、前記課金許可禁止指定情報を読み取られ、この課金許可禁止指定情報を課金許可を示すように書き換えられたり課金禁止を示すように書き換えられたりする前記記憶媒体と、操作者の操作に基づき前記電子機器に前記所定の第一の情報を送信したり、前記所定の第二の情報を送信したりする前記通信端末と、を備えている。
【００１４】
本発明の第２の電子機器システムは、本発明の電子機器と、前記課金許可禁止指定情報と前記記憶媒体ＩＤ情報とを格納し、前記電子機器に挿入され、前記電子機器により、前記課金許可禁止指定情報を読み取られ、この課金許可禁止指定情報を課金許可を示すように書き換えられたり課金禁止を示すように書き換えられたりしたり、前記電子機器により、前記記憶媒体ＩＤ情報を読み取られ、前記記憶媒体ＩＤ情報を前記記憶媒体ＩＤに設定されたり、前記ダミー記憶媒体ＩＤに設定されたりする前記記憶媒体と、
操作者の操作に基づき前記電子機器に前記所定の第一の情報を送信したり、前記所定の第二の情報を送信したりする前記通信端末と、を備えている。
【００１５】
本発明の電子機器処理方法は、所定の料金を所定の記憶媒体に格納された課金許可禁止指定情報に基づき精算処理する電子機器処理方法において、前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、前記課金許可禁止指定情報が課金許可を示し、かつ、前記通信端末から受信した情報が前記第二の情報と一致した場合、前記料金の前記精算処理の実行を許可し、その後、前記記憶媒体の前記課金許可禁止指定情報を課金禁止を示すように書き換える、ようにしている。
【発明の効果】
【００１６】
本発明によれば、セキュリティ上より安全性が高く、通行料金の精算処理に必要な情報を格納した記憶媒体を使用可能とするための手間が掛からない電子機器、電子機器システム、及び電子機器処理方法を提供することができる。
【図面の簡単な説明】
【００１７】
【図１】本発明の第１の実施の形態及び第２の実施の形態に係る電子機器の一例を示す図である。
【図２】本発明の第３の実施の形態及び第４の実施の形態に係る電子機器システムの一例を示す図である。
【図３】本発明の第３の実施の形態に係る電子機器システムの起動時処理の動作の一例を示すフローチャートである。
【図４】本発明の第３の実施の形態に係る電子機器システムの降車時処理の動作の一例を示すフローチャートである。
【図５】本発明の第４の実施の形態に係る電子機器システムの起動時処理の動作の一例を示すフローチャートである。
【図６】本発明の第４の実施の形態に係る電子機器システムの降車時処理の動作の一例を示すフローチャートである。
【発明を実施するための形態】
【００１８】
次に、本発明の実施の形態について図面を参照して説明する。
（第１の実施の形態）
図１は、本発明の第１の実施の形態及び第２の実施の形態に係る電子機器の一例を示す図である。
【００１９】
本実施の形態に係る電子機器１は、記憶部２と、制御部３とにより構成される。
【００２０】
電子機器１は、料金所に設置された路上機６との間で、有料道路等の道路の通行料金に関する情報を無線通信し、電子機器１に接続（挿入）された記憶媒体４（例えば、ＥＴＣ（Ｅｌｅｃｔｒｏｎｉｃ  Ｔｏｌｌ  Ｃｏｌｌｅｃｔｉｏｎ）カード）の情報に基づき通行料金の精算処理をする、例えば車両に搭載された機器である。
【００２１】
記憶部２は、記憶媒体４の所有者確認等の認証を受けるための、例えば記憶媒体４の所有者が携帯する通信端末５に関する所定の第一の情報と、所定の第二の情報を予め格納する。
【００２２】
制御部３は、電子機器１への電源の供給に基づき起動して記憶媒体４の挿入を検出し、操作者の操作に基づき、通信端末５より情報を受ける。そして、この受けた情報が記憶部２に格納されている所定の第一の情報の場合、第一の認証がなされたとして、記憶媒体４から課金許可禁止指定情報を読み取る。
【００２３】
課金許可禁止指定情報とは、記憶媒体４に格納され記憶媒体４による課金を許可したり禁止したりする情報である。課金許可禁止指定情報が課金禁止を示す場合は、この記憶媒体４では課金することができない（課金禁止状態）ようにしておく。すなわち、例えば、記憶媒体４であることを識別する識別情報を書き換えて、他の電子機器では記憶媒体４であることを認識できないようにしておく。また、例えば、記憶媒体４に書き込まれている情報を識別する識別情報を別の情報に書き換える等により料金決済に必要な情報が記憶媒体４のどこに書き込まれているか分からなくしておく。このようにしておくことにより、記憶媒体４が課金禁止状態となっている場合には、この記憶媒体４は、盗難や、紛失等により第三者の手に渡ったとしても、無断使用することができない。
【００２４】
本電子機器１で使用する挿入前の記憶媒体４に格納された課金許可禁止指定情報は、通常、課金禁止（通常の状態（課金禁止状態））となるようにしている。このようにすることにより、記憶媒体４を無断使用されないようにしつつ、自身の電子機器１で使用することができるようにしている。
【００２５】
制御部３は、この読み取った課金許可禁止指定情報が、課金禁止（通常の状態（課金禁止状態））を示す場合、この情報を課金許可（課金許可状態）を示すように書き換えてこの記憶媒体４により課金処理ができるようにする。このようにすることにより、通行料金の精算処理の実行ができるようになる。また、制御部３は、課金許可禁止指定情報を読み取った情報が、課金許可（課金許可状態）を示す場合、操作者の操作に基づき、通信端末５から情報を受ける。そして、この受けた情報が記憶部２に格納されている所定の第二の情報の場合、第二の認証がなされたとして、通行料金の精算処理の実行を可能とする。そして、制御部３は、電源供給の停止を検出して、記憶媒体４の課金許可禁止指定情報を課金禁止（通常の状態（課金禁止状態））を示すように書き換え、記憶媒体４を使用できない状態にする。
【００２６】
次に、本実施の形態の電子機器の動作を説明する。
【００２７】
制御部３は、電子機器１への電源の供給に基づき起動して記憶媒体４の挿入を検出する。そして、操作者の操作に基づき、電子機器１の近辺の通信端末５より情報を受ける。この受けた情報が記憶部２に格納されている所定の第一の情報の場合、この情報は、記憶媒体４の所有者が携帯する通信端末５から受けた情報であると判断し第一の認証がなされたとして、記憶媒体４から課金許可禁止指定情報を読み取る。
【００２８】
制御部３は、この読み取った情報が、課金禁止（通常の状態（課金禁止状態））を示す場合、課金許可禁止指定情報を課金許可（課金許可状態）を示すように書き換えてこの記憶媒体４により課金処理ができるようにする。そして、電子機器１は、この挿入され課金処理ができる状態になった記憶媒体４に基づき路上機６との間で無線通信して通行料金の精算処理を実行する。
【００２９】
また、制御部３は、課金許可禁止指定情報を読み取った情報が、課金許可（課金許可状態）を示す場合、記憶媒体４の状態が通常の状態でないので、記憶媒体４の所有者の確認等の認証を行う。すなわち、操作者の操作に基づき、通信端末５から情報を受け、この受けた情報が記憶部２に格納されている所定の第二の情報の場合、第二の認証がなされたとする。そして、電子機器１は、この挿入され課金処理ができる状態になった記憶媒体４に基づき路上機６との間で無線通信して通行料金の精算処理を実行する。
【００３０】
そして、制御部３は、電源供給の停止を検出して、記憶媒体４の課金許可禁止指定情報を課金禁止（通常の状態（課金禁止状態））を示すように書き換え、この記憶媒体４で課金処理ができないようにする。
【００３１】
これにより、この記憶媒体４が盗難や、紛失により第三者の手に渡ったとしても無断使用や不正使用されるおそれがなくなる。
【００３２】
このように、本発明の第１の実施の形態によれば、挿入した際の状態が課金処理をすることができる状態（通常の状態でない状態、課金許可状態）の記憶媒体を使用できるようにするために、操作者に対して認証を行うようにした。このため、挿入時に課金許可状態の記憶媒体を使用できるようにするために、操作者は認証を行う必要があるので、セキュリティ上より安全性が高い。また、操作者に対して認証を行うことのみで挿入時に課金許可状態の記憶媒体を使用することができるようにしたので、通常の状態でない状態（課金可能状態）の記憶媒体を使用することができるようにするための手間が掛からない。
（第２の実施の形態）
図１は、本発明の第１の実施の形態及び第２の実施の形態に係る電子機器の一例を示す図である。
【００３３】
本発明の第２の実施の形態は、第１の実施の形態の制御部３の動作に記憶媒体４の記憶媒体ＩＤ（カードＩＤ）に関する動作を加えたものである。したがって、主に第１の実施の形態と相違する部分について説明する。本実施の形態では、電子機器１を車載器に、また、記憶媒体４をＥＴＣカードとして記載する。尚、車載器１は、料金所に設置された路上機との間で、有料道路等の道路の通行料金に関する情報を無線通信し、自身に挿入された記憶媒体４に格納された情報に基づき通行料金の精算処理をする電子機器であれば、どのような電子機器であってもよい。また、ＥＴＣカード４は、通行料金の精算処理に必要な情報を格納し、車載器等の電子機器に挿入され、この機器により、カードに格納した情報に基づき通行料金の精算処理がなされるような記憶媒体であれば、どのような記憶媒体であってもよい。
【００３４】
本実施の形態に係る電子機器１（車載器）は、記憶部２と、制御部３とにより構成される。制御部３は、第１の実施の形態の動作で示した、ＥＴＣカード４の課金許可禁止指定情報を課金許可を示すように書き換えた後に、又は、通信端末から受信した情報と第二の情報との一致が確認された後に、次のように動作する。すなわち、ＥＴＣカード４から記憶媒体ＩＤ情報（カードＩＤ情報）を読み出し、この情報が記憶媒体（カード）のＩＤを示す場合、この記憶媒体ＩＤ（カードＩＤ）に対応するダミー記憶媒体ＩＤ（ダミーカードＩＤ）を発行しカードＩＤとダミーカードＩＤとを対応させて記憶部２に格納する。そして、ＥＴＣカード４に格納されているカードＩＤをダミーカードＩＤに書き換える。その後、電源供給の停止を検出して、記憶部２に格納したカードＩＤをＥＴＣカード４に書き戻す。
【００３５】
記憶部２は、カードＩＤとダミーカードＩＤとを対応させて格納する。
【００３６】
次に、本実施の形態の電子機器（車載器）の動作を説明する。
【００３７】
制御部３は、第１の実施の形態の動作で示した、ＥＴＣカード４の課金許可禁止指定情報を課金許可を示すように書き換えた後に、又は、通信端末から受信した情報と第二の情報との一致が確認された後に、第１の実施の形態の動作に次の動作を加えた動作をする。すなわち、制御部３は、ＥＴＣカード４の課金許可禁止指定情報を課金許可を示すように書き換えた後に、又は、第二の認証がなされた後に、ＥＴＣカード４からカードＩＤ情報を読み出す。
【００３８】
そして、このカードＩＤ情報がカードのＩＤを示す場合、カードＩＤに対応するダミーカードＩＤを発行しカードＩＤとダミーカードＩＤとを対応させて記憶部２に格納する。また、ＥＴＣカード４に格納されているカードＩＤをダミーカードＩＤに書き換える。
【００３９】
そして、車載器１により、このＥＴＣカード４に基づき路上機６との間で無線通信して通行料金の精算処理を実行する。
【００４０】
したがって、ＥＴＣカード４に格納されたカードＩＤ情報は、ＥＴＣカード４の使用中はダミーカードＩＤになっている。
【００４１】
その後、制御部３は、電源供給の停止を検出して、記憶部２に格納したカードＩＤをＥＴＣカード４に書き戻す。すなわち、ダミーカードＩＤをカードＩＤに書き直す。
【００４２】
このように、本発明の第２の実施の形態によれば、ＥＴＣカードを挿入して使用しているときは、ＥＴＣカードに格納されたカードＩＤ情報は、ダミーカードＩＤとなっている。このため、第１の実施の形態での効果に加えて、次の効果がある。すなわち、ＥＴＣカードを挿入して使用しているときに、車両から離れた際等に、ＥＴＣカードを車載器１から、例えば抜かれ盗まれたとしても、ＥＴＣカードのカードＩＤはダミーのカードＩＤになっているので、他の車載器では使用できない。このため、無断使用、不正使用ができずよりセキュリティ上より安全である。
（第３の実施の形態）
図２は、本発明の第３の実施の形態及び第４の実施の形態に係る電子機器システムの一例を示す図である。
【００４３】
本実施の形態に係る電子機器システム７は、電子機器１と、記憶媒体４と、通信端末５とにより構成される。電子機器１は、記憶部２と、制御部３と、通信部８とを備えている。電子機器システム７は、例えば、ＥＴＣ車載システムである。電子機器１は、料金所に設置された路上機６との間で、有料道路等の道路の通行料金に関する情報を無線通信し、ＥＴＣカード４の情報に基づき通行料金の精算処理をする、例えば車両に搭載された機器である。本実施の形態では、電子機器１を車載器に、また、記憶媒体４をＥＴＣカードとして記載する。尚、車載器１は、料金所に設置された路上機との間で、有料道路等の道路の通行料金に関する情報を無線通信し、自身に挿入された記憶媒体４に格納された情報に基づき通行料金の精算処理をする電子機器であれば、どのような電子機器であってもよい。また、ＥＴＣカード４は、通行料金の精算処理に必要な情報を格納し、車載器等の電子機器に挿入され、この機器により、カードに格納した情報に基づき通行料金の精算処理がなされるような記憶媒体であれば、どのような記憶媒体であってもよい。
【００４４】
記憶部２は、ＥＴＣカード４の所有者確認等の認証を受けるための、例えばＥＴＣカード４の所有者が携帯する通信端末５に関する所定の第一の情報と、所定の第二の情報を予め格納する。第一の情報は、電話番号を含む通信端末５に固有の情報であり、第二の情報は、暗証番号を含む不正使用を防止するために使用する情報である。
【００４５】
制御部３は、車載器１への電源の供給に基づき起動してＥＴＣカード４の挿入を検出し、操作者の操作に基づき、通信端末５より情報を受ける。そして、この受けた情報が記憶部２に格納されている所定の第一の情報の場合、第一の認証がなされたとして、ＥＴＣカード４から課金許可禁止指定情報を読み取る。
【００４６】
課金許可禁止指定情報とは、ＥＴＣカード４に格納されＥＴＣカード４による課金を許可したり禁止したりする情報である。課金許可禁止指定情報が課金禁止を示す場合は、このＥＴＣカード４では課金することができない（課金禁止状態）ようにしておく。すなわち、例えば、ＥＴＣカード４であることを識別する識別情報を書き換えて、他のＥＴＣ車載器ではＥＴＣカード４であることを認識できないようにしておく。また、例えば、ＥＴＣカード４に書き込まれている情報を識別する識別情報を別の情報に書き換える等により料金決済に必要な情報がＥＴＣカード４のどこに書き込まれているか分からなくしておく。このようにしておくことにより、ＥＴＣカード４が課金禁止状態となっている場合には、このＥＴＣカード４は、盗難や、紛失等により第三者の手に渡ったとしても、無断使用することができない。
【００４７】
本車載器１で使用する挿入前のＥＴＣカード４に格納された課金許可禁止指定情報は、通常、課金禁止（通常の状態（課金禁止状態））となるようにしている。このようにすることにより、ＥＴＣカード４を無断使用されないようにしつつ、自身の車載器１で使用することができるようにしている。
【００４８】
制御部３は、この読み取った課金許可禁止指定情報が、課金禁止（通常の状態（課金禁止状態））を示す場合、この情報を課金許可（課金許可状態）を示すように書き換えてこのＥＴＣカード４により課金処理ができるようにする。このようにすることにより、通行料金の精算処理の実行ができるようになる。また、制御部３は、課金許可禁止指定情報を読み取った情報が、課金許可（課金許可状態）を示す場合、操作者の操作に基づき、通信端末５から情報を受ける。そして、この受けた情報が記憶部２に格納されている所定の第二の情報の場合、第二の認証がなされたとして、通行料金の精算処理の実行を可能とする。そして、制御部３は、電源供給の停止を検出して、ＥＴＣカード４の課金許可禁止指定情報を課金禁止（通常の状態（課金禁止状態））を示すように書き換え、ＥＴＣカード４を使用できない状態にする。
【００４９】
通信部８は、操作者の操作に基づき、通信端末５が近接した場合に通信端末５と通信を開始し、通信端末５から情報を受けて制御部３に通知する。
【００５０】
制御部３は、通信部８を介して、通信端末５に所定の第二の情報の入力を求める通信をし、通信端末５は、この通信を受け、操作者の操作に基づき、所定の第二の情報を通信部８に送信する。
【００５１】
ＥＴＣカード４は、課金許可禁止指定情報を格納し、車載器１に挿入され、車載器１により、課金許可禁止指定情報を読み取られ、この課金許可禁止指定情報を課金許可を示すように書き換えられたり課金禁止を示すように書き換えられたりする。
【００５２】
通信端末５は、操作者の操作に基づき車載器１に所定の第一の情報を送信したり、所定の第二の情報を送信したりする。
【００５３】
次に、本実施の形態の車載器の動作を、図３、図４を使用して説明する。
【００５４】
図３は、本発明の第３の実施の形態に係る電子機器システム（ＥＴＣ車載システム）の起動時処理の動作の一例を示すフローチャートである。
【００５５】
図４は、本発明の第３の実施の形態に係る電子機器システム（ＥＴＣ車載システム）の降車時処理の動作の一例を示すフローチャートである。
[起動時処理]
エンジンキーがオンされることにより、ＡＣＣ（アクセサリスイッチ）がオンされると、車載器１に電源が供給され車載器１が起動し、起動時処理が開始される。
【００５６】
図３のステップＳ１では、制御部３は、車載器１のカード挿入口にＥＴＣカード４が挿入されたか否かを、例えば、ＥＴＣカード４用のインターフェース回路（不図示）を介して検出する。ＥＴＣカード４の挿入が検出されるとステップＳ２へ進む。
【００５７】
図３のステップＳ２では、第一の認証処理を行う。すなわち、操作者が、操作者の所持する携帯端末等の通信端末５を通信部８に接近させ、第一の情報（例えば、電話番号）を通信部８に送信する。制御部３は、通信部８を介してこの第一の情報を受け、この情報により認証処理を行う。
【００５８】
すなわち、制御部３は、第一の認証処理を促すアナウンスを例えば、スピーカ等の放音部（不図示）から放音させる。操作者はこのアナウンスを聞き、操作者の操作に基づき、操作者の所持する携帯端末等の通信端末５を通信部８に接近させる。通信部８は、例えば、所定の周波数の電波を出力しており、通信端末５はこの電波を受信して、第一の情報を通信部８に送信する。制御部３は、通信部８を介してこの第一の情報を受け、この情報が記憶部２に登録されているか否かを調べる。登録されているときには、第一の認証できたとし、登録されていないときには、第一の認証できなかったとする。
【００５９】
通信端末５と通信部８との通信は、ＮＦＣ（Ｎｅａｒ  Ｆｉｅｌｄ  Ｃｏｍｍｕｎｉｃａｔｉｏｎ）通信、ブルートゥース通信を含む近距離通信である。ＮＦＣ通信、ブルートゥース通信にこだわることなく、近接時に使用できる通信ならばどのような通信でも良い。
【００６０】
図３のステップＳ３では、第一の認証ができたときにはステップＳ５へ進む。第一の認証ができなかったときにはステップＳ４へ進む。
【００６１】
図３のステップＳ４では、制御部３は、挿入されたＥＴＣカードは、本車載器１用のＥＴＣカードではない（一般のＥＴＣカードである）とし、一般ＥＴＣカードフラグをオンして起動時処理を終了する。
【００６２】
図３のステップＳ５では、制御部３は、挿入されたＥＴＣカード４からインターフェース回路（不図示）を介して課金許可禁止指定情報を取得する。
【００６３】
図３のステップＳ６では、制御部３は、取得した課金許可禁止指定情報が、課金禁止を示しているか否かを調べ、課金禁止を示している場合（通常の状態）にはステップＳ９へ進む。課金禁止を示していない（課金許可の）場合（通常でない状態）にはステップＳ７へ進む。
【００６４】
図３のステップＳ７では、第二の認証処理（カード情報イレギュラー処理）を行う。すなわち、制御部３が、通信部８を介して通信端末５に所定の認証画面を表示させ、操作者がこの画面に第二の情報を入力することにより、制御部３が、通信部８を介してこの第二の情報を受け、この情報により認証処理を行う。
【００６５】
すなわち、制御部３が、第二の認証処理を促すアナウンスを例えば、スピーカ等の放音部（不図示）から放音させる。操作者はこのアナウンスを聞き、操作者の操作に基づき、操作者の所持する携帯端末等の通信端末５を通信部８に接近させる。通信端末５は、通信部８が出力している所定の周波数の電波を受信して、近接したことを示す所定の情報を通信部８に送信する。制御部３は、通信部８を介してこの所定の情報を受け、通信部８を介して通信端末５に所定の認証画面を表示させる。そして、操作者がこの認証画面に第二の情報を入力することにより、通信端末５が通信部８に送信する。制御部３は、通信部８を介してこの第二の情報を受け、この情報が記憶部２に登録されているか否かを調べる。登録されているときには、第二の認証ができたとし、登録されていないときには、第二の認証ができなかったとする。
【００６６】
図３のステップＳ８では、第二の認証ができたときには、起動時処理を終了する。第二の認証ができなかったときにはステップＳ４へ進む。
【００６７】
図３のステップＳ９では、制御部３は、インターフェース回路を介してＥＴＣカード４に格納された課金許可禁止指定情報を、課金許可に設定して、起動時処理を終了する。
[通常のＥＴＣ処理]
そして、起動時処理が終了すると、車載器は、ＥＴＣカード４を使用して課金処理を行うことができるようになり、通行料金の精算処理等の通常のＥＴＣ処理を行う。
【００６８】
すなわち、制御部３の制御に基づき、有料道路を含む道路に設定された路上機６と図示しない通信回路を介して通信し、路上機６から、通行料金に関する情報を受ける。そして、路上機６に、ＥＴＣカード４のカードＩＤに対応する口座情報を送信し、路上機６を介して、口座情報の示す口座から通行料金を引き落とす。（この通常のＥＴＣ処理は、一般的な既知の処理であり、本発明と直接的には関わっていないので詳細の記載は省く。）
[降車時処理]
そして、制御部３は、エンジンキーがオフされることによるＡＣＣ（アクセサリスイッチ）のオフを、例えば、割り込み信号により検出し、降車時処理を開始する。
【００６９】
図４のステップＢ１では、一般ＥＴＣカードフラグがオンか否かを調べ、オンの場合は、挿入されているＥＴＣカードは、本車載器１用のＥＴＣカードではない（一般のＥＴＣカードである）とし、何の処理もしないで降車時処理を終了する。一般ＥＴＣカードフラグがオフの場合は、ステップＢ２へ進む。
【００７０】
図４のステップＢ２では、制御部３は、インターフェース回路を介してＥＴＣカード４に格納された課金許可禁止指定情報を、課金禁止に設定して、降車時処理を終了する。
【００７１】
ＡＣＣ（アクセサリスイッチ）がオフされることにより、車載器１への電源の供給が停止され、車載器１へ供給されている電圧は所定時間経過後には車載器１の稼働電圧以下になる。車載器１の稼働電圧以下になる前にステップＢ１、ステップＢ２の処理が終了しないようである場合には、ＡＣＣのオフを検出したのちに、これらのステップの処理が終了できる程度の遅延を置いて、車載器１への電源の供給を停止するようにしても良い。
【００７２】
このように、本発明の第３の実施の形態によれば、挿入した際の状態が課金処理をすることができる状態（通常の状態でない状態、課金許可状態）のＥＴＣカードを使用できるようにするために、操作者に対して認証を行うようにした。このため、挿入時に課金許可状態のＥＴＣカードを使用できるようにするために、操作者は認証を行う必要があるので、セキュリティ上より安全性が高い。また、操作者に対して認証を行うことのみで挿入時に課金許可状態のＥＴＣカードを使用することができるようにしたので、通常の状態でない状態（課金可能状態）のＥＴＣカードを使用することができるようにするための手間が掛からない。
（第４の実施の形態）
図２は、本発明の第３の実施の形態及び第４の実施の形態に係る電子機器システムの一例を示す図である。
【００７３】
本発明の第４の実施の形態は、第３の実施の形態の制御部３の動作に記憶媒体（ＥＴＣカード）の記憶媒体ＩＤ（カードＩＤ）に関する動作を加えたものである。したがって、主に第３の実施の形態と相違する部分について説明する。
【００７４】
本実施の形態に係る電子機器システム７は、電子機器１（車載器）と、記憶媒体４（ＥＴＣカード）と、通信端末５とにより構成される。車載器１は、記憶部２と、制御部３と、通信部８とを備えている。電子機器システム７は、例えば、ＥＴＣ車載システムである。
【００７５】
制御部３は、第３の実施の形態の動作で示した、ＥＴＣカード４の課金許可禁止指定情報を課金許可を示すように書き換えた後に、又は、又は、通信端末から受信した情報と第二の情報との一致が確認された後に、次のように動作する。すなわち、ＥＴＣカード４からカードＩＤ情報を読み出し、この情報がカードのＩＤを示す場合、このカードＩＤに対応するダミーカードＩＤを発行しカードＩＤとダミーカードＩＤとを対応させて記憶部２に格納する。そして、ＥＴＣカード４に格納されているカードＩＤをダミーカードＩＤに書き換える。その後、電源供給の停止を検出して、記憶部２に格納したカードＩＤをＥＴＣカード４に書き戻す。
【００７６】
記憶部２は、カードＩＤとダミーカードＩＤとを対応させて格納する。
【００７７】
ＥＴＣカード４は、課金許可禁止指定情報とカードＩＤ情報とを格納し、車載器１に挿入され、車載器１により、課金許可禁止指定情報を読み取られ、この課金許可禁止指定情報を課金許可を示すように書き換えられたり課金禁止を示すように書き換えられたりする。また、車載器１により、カードＩＤ情報を読み取られ、カードＩＤ情報をカードＩＤに設定されたり、ダミーカードＩＤに設定されたりする。
【００７８】
通信端末５は、操作者の操作に基づき車載器１に所定の第一の情報を送信したり、所定の第二の情報を送信したりする。
【００７９】
次に、本実施の形態の車載器の動作を、図５、図６を使用して説明する。
【００８０】
図５は、本発明の第４の実施の形態に係るＥＴＣ車載システムの起動時処理の動作の一例を示すフローチャートである。
【００８１】
図６は、本発明の第４の実施の形態に係るＥＴＣ車載システムの降車時処理の動作の一例を示すフローチャートである。
【００８２】
この図５で示すフローチャートは、図３で示す本発明の第３の実施の形態に係るフローチャートに、ＥＴＣカード４のカードＩＤに関する動作の部分を加えたものである。
【００８３】
すなわち、図５で示すフローチャートでは、図３で示すフローチャートのステップＳ９以降に、ＥＴＣカード４のカードＩＤに関する動作の部分を加えている。
また、図３のステップＳ５、ステップＳ８、ステップＳ９に対応するステップ（ステップＡ５、ステップＡ８、ステップＡ９）を若干変えている。
[起動時処理]
図５のステップＡ１からステップＡ４は、図３のステップＳ１からステップＳ４と同じである。
【００８４】
図５のステップＡ５では、制御部３は、挿入されたＥＴＣカード４からインターフェース回路（不図示）を介して課金許可禁止指定情報、及びカードＩＤ情報を取得する。
【００８５】
図５のステップＡ６からステップＡ７は、図３のステップＳ６からステップＳ７と同じである。
【００８６】
図５のステップＡ８では、第二の認証ができたときには、起動時処理を終了する。第二の認証ができなかったときにはステップＡ４へ進む。
【００８７】
図５のステップＡ９では、制御部３は、インターフェース回路を介してＥＴＣカード４に格納された課金許可禁止指定情報を、課金許可に設定して、ステップＡ１０へ進む。
【００８８】
図５のステップＡ１０では、制御部３は、ステップＡ５でＥＴＣカード４から取得したカードＩＤ情報の示すＩＤが、ダミーカードＩＤであるか否かを調べる。すなわち、カードＩＤ情報の示すＩＤが、制御部３がすでに発行したダミーカードＩＤとして記憶部２に格納されているか否かを調べる。（このステップは、ＥＴＣカード４の使用中にＥＴＣカード４が車載器１から抜かれた等により、その後の挿入時において、ＥＴＣカード４のカードＩＤ情報にダミーカードＩＤが格納されている場合を想定している。）
カードＩＤ情報で示すＩＤが、ダミーカードＩＤである場合にはステップＡ１１へ進む。この場合には、記憶部２にダミーカードＩＤに対応してカードＩＤが格納されている。ダミーカードＩＤでない場合（カードＩＤの場合）にはステップＡ１３へ進む。
【００８９】
図５のステップＡ１１では、第二の認証処理（カードＩＤイレギュラー処理）を行う。この処理は、図３のステップＳ７と同じ処理である。すなわち、操作者が通信端末５の認証画面に第二の情報を入力し、制御部３は、通信部８を介してこの第二の情報を受け、この情報が記憶部２に登録されているか否かを調べる。登録されているときには、第二の認証ができたとし、登録されていないときには、第二の認証ができなかったとする。
【００９０】
図５のステップＡ１２では、第二の認証ができたときには、起動時処理を終了する。第二の認証ができなかったときにはステップＡ４へ進む。
【００９１】
図５のステップＡ１３では、制御部３は、ＥＴＣカード４のカードＩＤに対応する唯一のダミーカードＩＤを発行し、カードＩＤをダミーカードＩＤと対応させて記憶部２に格納する。すでに、このカードＩＤがダミーカードＩＤが対応して格納されているときには、なにもしない。
【００９２】
図５のステップＡ１４では、制御部３は、インターフェース回路を介して、ＥＴＣカード４にカードＩＤ情報として格納されているカードＩＤをこのカードＩＤに対応するダミーカードＩＤに書き換え、起動時処理を終了する。
[通常のＥＴＣ処理]
そして、起動時処理が終了すると、車載器は、ＥＴＣカード４を使用して課金処理を行うことができるようになり、通行料金の精算処理等の通常のＥＴＣ処理を行う。
【００９３】
すなわち、制御部３の制御に基づき、有料道路を含む道路に設定された路上機６と図示しない通信回路を介して通信し、路上機６から、通行料金に関する情報を受ける。そして、路上機６に、ＥＴＣカード４のカードＩＤに対応する口座情報を送信し、路上機６を介して、口座情報の示す口座から通行料金を引き落とす。（この通常のＥＴＣ処理は、一般的な既知の処理であり、本発明と直接的には関わっていないので詳細の記載は省く。）
[降車時処理]
そして、制御部３は、エンジンキーがオフされることによるＡＣＣ（アクセサリスイッチ）のオフを、例えば、割り込み信号により検出し、降車時処理を開始する。
【００９４】
図６のステップＣ１では、一般ＥＴＣカードフラグがオンか否かを調べ、オンの場合は、挿入されているＥＴＣカードは、本車載器１用のＥＴＣカードではない（一般のＥＴＣカードである）とし、何の処理もしないで降車時処理を終了する。一般ＥＴＣカードフラグがオフの場合は、ステップＣ２へ進む。
【００９５】
図６のステップＣ２では、制御部３は、インターフェース回路を介してＥＴＣカード４に格納された課金許可禁止指定情報を、課金禁止に設定する。
【００９６】
図６のステップＣ３では、制御部３は、記憶部２に格納したカードＩＤをインターフェース回路を介してＥＴＣカード４に書き戻す（ダミーカードＩＤをカードＩＤに書き直す）。すなわち、ＥＴＣカード４にカードＩＤ情報として格納されているダミーカードＩＤを、このダミーカードＩＤに対応して記憶部２に格納されているカードＩＤに書き戻し、降車時処理を終了する。
【００９７】
ＡＣＣ（アクセサリスイッチ）がオフされることにより、車載器１への電源の供給が停止され、車載器１へ供給されている電圧は所定時間経過後には車載器１の稼働電圧以下になる。車載器１の稼働電圧以下になる前にステップＣ１からステップＣ３の処理が終了しないようである場合には、ＡＣＣのオフを検出したのちに、これらのステップの処理が終了できる程度の遅延を置いて、車載器１への電源の供給を停止するようにしても良い。
【００９８】
このように、本発明の第４の実施の形態によれば、ＥＴＣカードを挿入して使用しているときは、ＥＴＣカードに格納されたカードＩＤ情報は、ダミーカードＩＤとなっている。このため、第３の実施の形態での効果に加えて、次の効果がある。すなわち、ＥＴＣカードを挿入して使用しているときに、車両から離れた際等に、ＥＴＣカードを車載器から、例えば抜かれ盗まれたとしても、ＥＴＣカードのカードＩＤはダミーのカードＩＤになっているので、他の車載器では使用できない。このため、無断使用、不正使用ができずよりセキュリティ上より安全である。
【００９９】
上記の実施形態の一部または全部は、以下の付記のように記載され得るが、以下には限られない。
（付記１）
所定の料金を所定の記憶媒体に格納された課金許可禁止指定情報に基づき精算処理する電子機器において、
通信端末に関する所定の第一の情報と所定の第二の情報を予め格納する記憶部と、
前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、前記課金許可禁止指定情報が課金許可を示し、かつ、前記通信端末から受信した情報が前記第二の情報と一致した場合、前記料金の前記精算処理の実行を許可し、その後、前記記憶媒体の前記課金許可禁止指定情報を課金禁止を示すように書き換える制御部と、
を備えたことを特徴とする電子機器。
（付記２）
前記制御部は、前記記憶媒体の前記課金許可禁止指定情報を課金許可を示すように書き換えた後に、又は、前記通信端末から受信した情報と前記第二の情報との一致が確認された後に、前記記憶媒体から記憶媒体ＩＤ情報を読み出し、この情報が記憶媒体のＩＤを示す場合、該記憶媒体ＩＤに対応するダミー記憶媒体ＩＤを発行し前記記憶媒体ＩＤと前記ダミー記憶媒体ＩＤとを対応させて前記記憶部に格納し、前記記憶媒体に格納されている前記記憶媒体ＩＤを前記ダミー記憶媒体ＩＤに書き換え、前記電源供給の停止を検出して、前記記憶部に格納した前記記憶媒体ＩＤを前記記憶媒体に書き戻し、
前記記憶部は、前記記憶媒体ＩＤと前記ダミー記憶媒体ＩＤとを対応させて格納する、
ことを特徴とする付記１記載の電子機器。
（付記３）
操作者の操作に基づき、前記通信端末が近接した場合に前記通信端末と通信を開始し、該通信端末から前記情報を受けて前記制御部に通知する通信部を、更に備えたことを特徴とする付記１又は２記載の電子機器。
（付記４）
前記制御部は、前記通信部を介して、前記通信端末に前記所定の第二の情報の入力を求める通信をし、
前記通信端末は、この通信を受け、操作者の操作に基づき、前記所定の第二の情報を前記通信部に送信する、
ことを特徴とする付記３記載の電子機器。
（付記５）
前記料金の前記精算処理とは、前記制御部の制御に基づき、有料道路を含む道路に設定された路上機と通信し、前記路上機から前記料金に関する情報を受け、前記路上機に、前記記憶媒体ＩＤに対応する口座情報を送信し、前記路上機を介して、該口座情報の示す口座から料金を引き落とすようにする処理である、
ことを特徴とする付記１、２、３又は４記載の電子機器。
（付記６）
前記第一の情報は、電話番号を含む前記通信端末に固有の情報であり、前記第二の情報は、暗証番号を含む不正使用を防止するために使用する情報である、
ことを特徴とする付記１又は２記載の電子機器。
（付記７）
前記通信は、ＮＦＣ（Ｎｅａｒ  Ｆｉｅｌｄ  Ｃｏｍｍｕｎｉｃａｔｉｏｎ）通信、ブルートゥース通信を含む近距離通信である、
ことを特徴とする付記３又は４記載の電子機器。
（付記８）
付記１記載の前記電子機器と、
前記課金許可禁止指定情報を格納し、前記電子機器に挿入され、前記電子機器により、前記課金許可禁止指定情報を読み取られ、この課金許可禁止指定情報を課金許可を示すように書き換えられたり課金禁止を示すように書き換えられたりする前記記憶媒体と、
操作者の操作に基づき前記電子機器に前記所定の第一の情報を送信したり、前記所定の第二の情報を送信したりする前記通信端末と、
を備えたことを特徴とする電子機器システム。
（付記９）
付記２から７のいずれかに記載の前記電子機器と、
前記課金許可禁止指定情報と前記記憶媒体ＩＤ情報とを格納し、前記電子機器に挿入され、前記電子機器により、前記課金許可禁止指定情報を読み取られ、この課金許可禁止指定情報を課金許可を示すように書き換えられたり課金禁止を示すように書き換えられたりしたり、前記電子機器により、前記記憶媒体ＩＤ情報を読み取られ、前記記憶媒体ＩＤ情報を前記記憶媒体ＩＤに設定されたり、前記ダミー記憶媒体ＩＤに設定されたりする前記記憶媒体と、
操作者の操作に基づき前記電子機器に前記所定の第一の情報を送信したり、前記所定の第二の情報を送信したりする前記通信端末と、
を備えたことを特徴とする電子機器システム。
（付記１０）
所定の料金を所定の記憶媒体に格納された課金許可禁止指定情報に基づき精算処理する電子機器処理方法において、
前記記憶媒体の接続を検出した際に前記通信端末から受信した情報が前記第一の情報と一致した場合に前記記憶媒体から読み出した前記課金許可禁止指定情報が課金禁止を示す場合、前記課金許可禁止指定情報を課金許可を示すように書き換え、
前記課金許可禁止指定情報が課金許可を示し、かつ、前記通信端末から受信した情報が前記第二の情報と一致した場合、前記料金の前記精算処理の実行を許可し、
その後、前記記憶媒体の前記課金許可禁止指定情報を課金禁止を示すように書き換える、ことを特徴とする電子機器処理方法。
（付記１１）
前記記憶媒体の前記課金許可禁止指定情報を課金許可を示すように書き換えた後に、又は、前記通信端末から受信した情報と前記第二の情報との一致が確認された後に、前記記憶媒体から記憶媒体ＩＤ情報を読み出し、
この読み出した情報が記憶媒体のＩＤを示す場合、該記憶媒体ＩＤに対応するダミー記憶媒体ＩＤを発行し前記記憶媒体ＩＤと前記ダミー記憶媒体ＩＤとを対応させて格納し、
前記記憶媒体に格納されている前記記憶媒体ＩＤを前記ダミー記憶媒体ＩＤに書き換え、
その後、前記記憶媒体ＩＤを前記記憶媒体に書き戻し、
前記記憶媒体ＩＤと前記ダミー記憶媒体ＩＤとを対応させて格納する、
ことを特徴とする付記１０記載の電子機器処理方法。
（付記１２）
操作者の操作に基づき、前記通信端末が近接した場合に前記通信端末と通信を開始し、該通信端末から前記情報を受ける、ことを特徴とする付記１０又は１１記載の電子機器処理方法。
（付記１３）
前記通信端末に前記所定の第二の情報の入力を求める通信をし、
前記通信端末は、この通信を受け、操作者の操作に基づき、前記所定の第二の情報を送信する、
ことを特徴とする付記１２記載の電子機器処理方法。
（付記１４）
前記第一の情報は、電話番号を含む前記通信端末に固有の情報であり、前記第二の情報は、暗証番号を含む不正使用を防止するために使用する情報である、
ことを特徴とする付記１０又は１１記載の電子機器処理方法。
（付記１５）
前記通信は、ＮＦＣ（Ｎｅａｒ  Ｆｉｅｌｄ  Ｃｏｍｍｕｎｉｃａｔｉｏｎ）通信、ブルートゥース通信を含む近距離通信である、
ことを特徴とする付記１２又は１３記載の電子機器処理方法。
【符号の説明】
【０１００】
１  電子機器、車載器
２  記憶部
３  制御部
４  記憶媒体、ＥＴＣカード
５  通信端末
６  路上機
７  電子機器システム、ＥＴＣ車載システム
８  通信部
【図１】
2016021185.tif 000003
【図２】
2016021185.tif 000004
【図３】
2016021185.tif 000005
【図４】
2016021185.tif 000006
【図５】
2016021185.tif 000007
【図６】
2016021185.tif 000008